【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
無線通信ネットワークのネットワーク管理システムであって、
物理環境内に分散した複数のコンポーネントであって、該複数のコンポーネントの少なくとも１つは、無線通信に必要なインフラを提供するために使用される、複数のコンポーネントと、
前記無線通信ネットワークに関する少なくとも１つの無線通信性能データを測定する少なくとも１つの測定デバイスと、
前記複数のコンポーネントの少なくとも１つまたは２つ以上のものと通信し、前記物理環境のコンピュータ化された特定場所向けのモデルが表示される１つまたは２つ以上のコンピュータプラットフォームであって、前記コンピュータ化された特定場所向けのモデルが、前記物理環境の表現を、該物理環境の表現内に分散した前記複数のコンポーネントのコンピュータ表現、および、前記物理環境における前記少なくとも１つの無線通信性能データに関する情報と共に、ディスプレイ上に提示し、
（Ｉ）前記少なくとも１つの測定デバイスによって測定された前記少なくとも１つの無線通信性能データが、前記無線通信ネットワークにおいて満足できるものか否かの表示、または、
（ＩＩ）前記物理環境内に分散した前記複数のコンポーネントの１つまたは２つ以上のものの１つまたは２つ以上のパラメータを調整する制御信号もしくは命令、
の少なくとも一方を提供する１つまたは２つ以上のコンピュータプラットフォームと、
を備えるネットワーク管理システム。
【請求項２】
前記少なくとも１つの測定デバイスは、前記物理環境内に配置される、請求項１に記載のネットワーク管理システム。
【請求項３】
前記少なくとも１つの測定デバイスは、無線通信用のインフラを提供する前記複数のコンポーネントの前記少なくとも１つと同じである、請求項１に記載のネットワーク管理システム。
【請求項４】
前記少なくとも１つの測定デバイスは、無線通信用のインフラを提供する前記複数のコンポーネントの前記少なくとも１つの一部として含まれる、請求項１に記載のネットワーク管理システム。
【請求項５】
前記調整されるパラメータは、アンテナの方向である、請求項１に記載のネットワーク管理システム。
【請求項６】
前記調整されるパラメータは、送信電力である、請求項１に記載のネットワーク管理システム。
【請求項７】
前記調整されるパラメータは、データ転送速度である、請求項１に記載のネットワーク管理システム。
【請求項８】
前記調整されるパラメータは、変調方法である、請求項１に記載のネットワーク管理システム。
【請求項９】
前記調整されるパラメータは、帯域幅である、請求項１に記載のネットワーク管理システム。
【請求項１０】
前記調整されるパラメータは、送信周波数である、請求項１に記載のネットワーク管理システム。
【請求項１１】
前記調整されるパラメータは、受信周波数である、請求項１に記載のネットワーク管理システム。
【請求項１２】
前記性能データは、信号強度である、請求項１に記載のネットワーク管理システム。
【請求項１３】
前記性能データは、干渉または雑音である、請求項１に記載のネットワーク管理システム。
【請求項１４】
前記性能データは、信号対干渉比である、請求項１に記載のネットワーク管理システム。
【請求項１５】
前記性能データは、データスループットである、請求項１に記載のネットワーク管理システム。
【請求項１６】
前記性能データは、電力レベルまたは状態である、請求項１に記載のネットワーク管理システム。
【請求項１７】
前記性能データは、サービス品質である、請求項１に記載のネットワーク管理システム。
【請求項１８】
前記性能データは、データ待ち時間である、請求項１に記載のネットワーク管理システム。
【請求項１９】
前記性能データは、トラフィックまたは容量利用率である、請求項１に記載のネットワーク管理システム。
【請求項２０】
前記１つまたは２つ以上のコンピュータプラットフォームは、（Ｉ）前記少なくとも１つの測定デバイスによって測定された前記少なくとも１つの性能データが、前記無線通信ネットワークのある特定のユーザにとって満足できるものか否かの表示を提供し、かつ、前記少なくとも１つの性能データの値の表示を提供する、請求項１に記載のネットワーク管理システム。
【請求項２１】
前記１つまたは２つ以上のコンピュータプラットフォームは、（Ｉ）前記少なくとも１つの測定デバイスによって測定された前記少なくとも１つの性能データが、前記無線通信ネットワークのユーザの一部またはすべてにとって満足できるものか否かの表示を提供し、かつ、前記少なくとも１つの性能データの値の表示を提供する、請求項１に記載のネットワーク管理システム。
【請求項２２】
前記無線通信ネットワークの１人または２人以上のユーザについて、性能データの満足できる性能レベルまたは満足できない性能レベルを選択する手段をさらに備える、請求項１に記載のネットワーク管理システム。
【請求項２３】
前記１つまたは２つ以上のコンピュータプラットフォームは、（ＩＩ）前記物理環境内に分散した前記複数のコンポーネントの１つまたは２つ以上のものの１つまたは２つ以上のパラメータを調整する制御信号または命令を提供する、請求項１に記載のネットワーク管理システム。
【請求項２４】
前記ディスプレイは、１つまたは２つ以上の建物の１つまたは２つ以上の間取図の少なくとも一部を、
前記１つまたは２つ以上の建物の前記１つまたは２つ以上の間取図の前記少なくとも一部と共になった前記複数のコンポーネントの場所の表現と、
前記１つまたは２つ以上の建物の前記１つまたは２つ以上の間取図の前記少なくとも一部と共になった前記少なくとも１つまたは２つ以上の無線通信性能データの表現と、
の１つまたは２つ以上のものと組み合わせて提示する、請求項１に記載のネットワーク管理システム。
【請求項２５】
前記少なくとも１つの無線通信性能データの値または容認性の表示を提供するインディケータをさらに備える、請求項１に記載のネットワーク管理システム。
【請求項２６】
前記インディケータは、警報装置である、請求項２５に記載のネットワーク管理システム。
【請求項２７】
前記１つまたは２つ以上のコンピュータプラットフォームの少なくとも１つは、（ＩＩ）前記物理環境内に分散した前記複数のコンポーネントの１つまたは２つ以上のものの１つまたは２つ以上のパラメータを調整する制御信号または命令を１つまたは複数、手動で、または、自動的に訂正するか、または、発行する、請求項２５に記載のネットワーク管理システム。
【請求項２８】
前記１つまたは２つ以上のコンピュータプラットフォームの前記少なくとも１つは、前記複数のコンポーネントから遠隔に位置する、請求項２７に記載のネットワーク管理システム。
【請求項２９】
（ＩＩ）前記物理環境内に分散した前記複数のコンポーネントの１つまたは２つ以上のものの１つまたは２つ以上のパラメータを調整する制御信号または命令を提供する、前記１つまたは２つ以上のコンピュータプラットフォームは、前記複数のコンポーネントから遠隔に位置する、請求項２３に記載のネットワーク管理システム。
【請求項３０】
前記少なくとも１つの無線通信性能データは、前記無線通信ネットワークの１人または２人以上のユーザについてのものである、請求項１に記載のネットワーク管理システム。
【請求項３１】
前記物理環境の前記特定場所向けのモデルは、前記複数のコンポーネントのコンピュータ表現の前記コンピュータ化された特定場所向けモデルへの配置の前、配置の最中、または配置の後に、インフラ情報を追加するか、または、取り去ることができる、請求項１に記載のネットワーク管理システム。
【請求項３２】
前記コンピュータプラットフォームの１つまたは複数と関連付けられ、前記無線通信ネットワークに関する予測された情報または測定された情報の記憶、送信、集約、分析、表示、または取り出しを行う手段をさらに備え、前記予測された情報または測定された情報は、保守データ、性能データ、コストデータ、警報データ、設置データ、インフラデータ、減価償却データ、および所有者データからなる群から選択される、請求項１に記載のネットワーク管理システム。
【請求項３３】
前記コンピュータプラットフォームの１つまたは複数と関連付けられ、前記無線通信ネットワークに関する予測された情報または測定された情報についての１つまたは２つ以上の報告を生成する手段をさらに備え、前記報告は、コンピュータファイル、テーブル、リスト、スライドショー、および図形出力からなる群から選択される、請求項１に記載のネットワーク管理システム。
【請求項３４】
無線通信ネットワークのネットワーク設計および管理システムであって、
物理環境のコンピュータ化された特定場所向けのモデルがディスプレイされる１つまたは２つ以上のコンピュータプラットフォームであって、前記コンピュータ化された特定場所向けのモデルは、前記物理環境内に分散した複数のコンポーネントのコンピュータ表現を伴った前記物環境の表現を有し、当該１つまたは２つ以上のコンピュータプラットフォームの少なくとも１つは、前記コンピュータ化された特定場所向けモデルに基づいて、１つまたは２つ以上の無線通信性能データの予測を提供できる、１つまたは２つ以上のコンピュータプラットフォームと、
前記コンピュータ化された特定場所向けのモデルによって表現された前記物理環境内に分散した、または、分散可能な複数の物理コンポーネントであって、該複数の物理コンポーネントの少なくともいくつかは、前記無線通信ネットワークの前記コンピュータ化された特定場所向けのモデルに表現された前記複数のコンポーネントの少なくともいくつかと対応し、当該複数の物理コンポーネントの少なくとも１つは、無線通信用のインフラを提供するために使用される、複数の物理コンポーネントと、
前記無線通信ネットワークに関する少なくとも１つの無線通信性能データを測定する少なくとも１つの測定デバイスと、
を備え、
前記１つまたは２つ以上のコンピュータプラットフォームの少なくとも１つは、前記複数の物理コンポーネントの少なくとも１つと通信し、かつ、
（Ｉ）前記少なくとも１つの測定デバイスによって測定された前記少なくとも１つの無線通信性能データが、前記無線通信ネットワークの１人または２人以上のユーザにとって満足できるものか否かの表示、または、
（ＩＩ）前記物理環境内に分散した前記複数の物理ンポーネントの１つまたは２つ以上のものの１つまたは２つ以上のパラメータを調整する制御信号もしくは命令、
の少なくとも一方を提供する、
ネットワーク設計および管理システム。
【請求項３５】
前記コンピュータ化された特定場所向けのモデルは、前記１つまたは２つ以上のコンピュータプラットフォームにより変更可能である、請求項３４に記載のネットワーク設計および管理システム。
【請求項３６】
前記ディスプレイは、１つまたは２つ以上の建物の１つまたは２つ以上の間取図の少なくとも一部を、
前記１つまたは２つ以上の建物の前記１つまたは２つ以上の間取図の前記少なくとも一部と共になった前記複数のコンポーネントの場所の表現と、
前記１つまたは２つ以上の建物の前記１つまたは２つ以上の間取図の前記少なくとも一部と共になった前記少なくとも１つまたは２つ以上の無線通信性能データの表現と、
の１つまたは２つ以上のものと結合して提示する、請求項３４に記載のネットワーク設計および管理システム。
【請求項３７】
前記無線通信ネットワークの前記コンピュータ化された表現に表現される前記複数のコンポーネントの１つまたは２つ以上のものは、それらに関連付けられたコストデータ、警報データ、保守データ、所有者データ、性能データ、設置データ、インフラデータ、減価償却データ、および機器設定値の少なくとも１つを有する、請求項３４に記載のネットワーク設計および管理システム。
【請求項３８】
前記コンピュータ化された特定場所向けのモデルの１つまたは２つ以上の特徴は、それらに割り当てられた、１つまたは２つ以上の無線通信性能データに影響を与える値または属性を有する、請求項３４に記載のネットワーク設計および管理システム。
【請求項３９】
前記少なくとも１つの測定デバイスは、前記物理環境内に配置される、請求項３４に記載のネットワーク設計および管理システム。
【請求項４０】
前記少なくとも１つの測定デバイスは、無線通信用のインフラを提供するために使用される前記複数の物理コンポーネントの前記少なくとも１つと同じである、請求項３４に記載のネットワーク設計および管理システム。
【請求項４１】
前記少なくとも１つの測定デバイスは、無線通信用のインフラを提供するために使用される前記複数の物理コンポーネントの前記少なくとも１つの一部として含まれる、請求項３４に記載のネットワーク設計および管理システム。
【請求項４２】
前記調整されるパラメータは、アンテナの方向である、請求項３４に記載のネットワーク管理システム。
【請求項４３】
前記調整されるパラメータは、送信電力である、請求項３４に記載のネットワーク管理システム。
【請求項４４】
前記調整されるパラメータは、データ転送速度である、請求項３４に記載のネットワーク管理システム。
【請求項４５】
前記調整されるパラメータは、変調方法である、請求項３４に記載のネットワーク管理システム。
【請求項４６】
前記調整されるパラメータは、帯域幅である、請求項３４に記載のネットワーク管理システム。
【請求項４７】
前記調整されるパラメータは、送信周波数である、請求項３４に記載のネットワーク管理システム。
【請求項４８】
前記調整されるパラメータは、受信周波数である、請求項３４に記載のネットワーク管理システム。
【請求項４９】
前記性能データは、信号強度である、請求項３４に記載のネットワーク管理システム。
【請求項５０】
前記性能データは、干渉または雑音である、請求項３４に記載のネットワーク管理システム。
【請求項５１】
前記性能データは、信号対干渉比である、請求項３４に記載のネットワーク管理システム。
【請求項５２】
前記性能データは、データスループットである、請求項３４に記載のネットワーク管理システム。
【請求項５３】
前記性能データは、電力レベルまたは状態である、請求項３４に記載のネットワーク管理システム。
【請求項５４】
前記性能データは、サービス品質である、請求項３４に記載のネットワーク管理システム。
【請求項５５】
前記性能データは、データ待ち時間である、請求項３４に記載のネットワーク管理システム。
【請求項５６】
前記性能データは、トラフィックまたは容量利用率である、請求項３４に記載のネットワーク管理システム。
【請求項５７】
前記１つまたは２つ以上のコンピュータプラットフォームは、（Ｉ）前記少なくとも１つの測定デバイスによって測定された前記少なくとも１つの性能データが、前記無線通信ネットワークのある特定のユーザにとって満足できるものか否かの表示を提供し、かつ、前記少なくとも１つの性能データの値の表示を提供する、請求項３４に記載のネットワーク管理システム。
【請求項５８】
前記無線通信ネットワークの１人または２人以上のユーザについて、性能データの満足できる性能レベルまたは満足できない性能レベルを選択する手段をさらに備える、請求項３４に記載のネットワーク管理システム。
【請求項５９】
前記１つまたは２つ以上のコンピュータプラットフォームは、（ＩＩ）前記物理環境内に分散した前記複数のコンポーネントの１つまたは２つ以上のものの１つまたは２つ以上のパラメータを調整する制御信号または命令を提供する、請求項３４に記載のネットワーク管理システム。
【請求項６０】
前記少なくとも１つの無線通信性能データの値または容認性の表示を提供するインディケータをさらに備える、請求項３４に記載のネットワーク管理システム。
【請求項６１】
前記インディケータは、警報装置である、請求項６０に記載のネットワーク管理システム。
【請求項６２】
前記１つまたは２つ以上のコンピュータプラットフォームの少なくとも１つは、（ＩＩ）前記物理環境内に分散した前記複数のコンポーネントの１つまたは２つ以上のものの１つまたは２つ以上のパラメータを調整する制御信号または命令を１つまたは複数、手動で、または、自動的に訂正するか、または、発行する、請求項６０に記載のネットワーク管理システム。
【請求項６３】
前記１つまたは２つ以上のコンピュータプラットフォームの前記少なくとも１つは、前記複数のコンポーネントから遠隔に位置する、請求項６２に記載のネットワーク管理システム。
【請求項６４】
（ＩＩ）前記物理環境内に分散した前記複数のコンポーネントの１つまたは２つ以上のものの１つまたは２つ以上のパラメータを調整する制御信号または命令を提供する、前記１つまたは２つ以上のコンピュータプラットフォームは、前記複数のコンポーネントから遠隔に位置する、請求項５９に記載のネットワーク管理システム。
【請求項６５】
前記少なくとも１つの無線通信性能データは、前記無線通信ネットワークの１人または２人以上のユーザについてのものである、請求項３４に記載のネットワーク管理システム。
【請求項６６】
前記物理環境の前記特定場所向けのモデルは、前記複数のコンポーネントのコンピュータ表現の前記コンピュータ化された特定場所向けモデルへの配置の前、配置の最中、または配置の後に、インフラ情報を追加するか、または、取り去ることができる、請求項３４に記載のネットワーク管理システム。
【請求項６７】
前記コンピュータプラットフォームの１つまたは複数と関連付けられ、前記無線通信ネットワークに関する予測された情報または測定された情報の記憶、送信、集約、分析、表示、または取り出しを行う手段をさらに備え、前記予測された情報または測定された情報は、保守データ、性能データ、コストデータ、警報データ、設置データ、インフラデータ、減価償却データ、および所有者データからなる群から選択される、請求項３４に記載のネットワーク管理システム。
【請求項６８】
前記コンピュータプラットフォームの１つまたは複数と関連付けられ、前記無線通信ネットワークに関する予測された情報または測定された情報についての１つまたは２つ以上の報告を生成する手段をさらに備え、前記報告は、コンピュータファイル、テーブル、リスト、スライドショー、および図形出力からなる群から選択される、請求項３４に記載のネットワーク管理システム。
【請求項６９】
無線通信システムのネットワーク設計および管理方法であって、
地理情報システムのデータをデータベースにロードするステップと、
前記入力された地理情報システムのデータを用いて、特定場所向けのモデルを生成するステップと、
前記特定場所向けのモデルの前記入力された地理情報システムのデータの複数の属性に複数の値およびパラメータを割り当てるステップと、
複数のモデル化された無線周波デバイスの選択および前記特定場所向けのモデル内への配置を行うステップと、
前記複数のモデル化された無線周波デバイスならびに前記特定場所向けのモデルの前記複数の値および属性によって提供される、サービス品質を含む性能データをシミュレートするステップであって、屋内から屋外のネットワーク性能をシミュレートする、シミュレートするステップと、
を含むネットワーク設計および管理方法。
【請求項７０】
物理環境内に分散した複数のコンポーネントからなる無線通信ネットワークを管理する方法であり、前記複数のコンポーネントの少なくとも１つは、無線通信に必要なインフラを提供するために使用される、方法であって、
前記無線通信ネットワークに関する少なくとも１つの無線通信性能データを、少なくとも１つの測定デバイスによって測定するステップと、
前記物理環境のコンピュータ化された特定場所向けのモデルが表示される１つまたは２つ以上のコンピュータプラットフォームによって、
（Ｉ）前記測定デバイスによって測定された前記少なくとも１つの無線通信性能データが、前記無線通信ネットワークにおいて満足できるものか否かの表示、または、
（ＩＩ）前記物理環境内に分散した前記複数のコンポーネントの１つまたは２つ以上のものの１つまたは２つ以上のパラメータを調整する制御信号もしくは命令、
の少なくとも一方を提供するステップと、
を含み、
前記１つまたは２つ以上のコンピュータプラットフォームの少なくとも１つは、前記複数のコンポーネントの少なくとも１つと通信し、
前記コンピュータ化された特定場所向けのモデルは、前記物理環境の表現を、該物理環境の前記表現内に分散した前記複数のコンポーネントのコンピュータ表現、および、前記物理環境における前記少なくとも１つの無線通信性能データに関する情報と共に、ディスプレイ上に提示する、
方法。
【請求項７１】
前記提供するステップにおいて調整される前記パラメータは、送信機の電力、送信周波数、受信周波数、信号強度、アンテナの方向、送信電力、データ転送速度、変調方法、帯域幅、干渉または雑音、信号対干渉比、データスループット、電力レベルまたは電力状態、サービス品質、データ待ち時間、およびトラフィックまたは容量利用状態からなる群から選択される、請求項７０に記載の方法。
【請求項７２】
前記１つまたは２つ以上のコンピュータプラットフォームは、前記提供するステップにおいて、（Ｉ）前記少なくとも１つの測定デバイスによって測定された前記少なくとも１つの無線通信性能データが、前記無線通信ネットワークのある特定のユーザにとって満足できるものか否かの表示、および、前記少なくとも１つの無線通信性能データの値の表示を提供する、請求項７０に記載の方法。
【請求項７３】
前記１つまたは２つ以上のコンピュータプラットフォームは、前記提供するステップにおいて、（Ｉ）前記少なくとも１つの測定デバイスによって測定された前記少なくとも１つの無線通信性能データが、前記無線通信ネットワークのユーザの一部またはすべてにとって満足できるものか否かの表示、および、前記少なくとも１つの無線通信性能データの値の表示を提供する、請求項７０に記載の方法。
【請求項７４】
前記無線通信ネットワークの１人または２人以上のユーザについて、前記無線通信性能データの満足できる性能レベルまたは満足できない性能レベルを選択するステップをさらに含む、請求項７０に記載の方法。
【請求項７５】
前記１つまたは２つ以上のコンピュータプラットフォームは、前記提供するステップにおいて、（ＩＩ）前記物理環境内に分散した前記複数のコンポーネントの１つまたは２つ以上のものの１つまたは２つ以上のパラメータを調整する制御信号または命令を提供する、請求項７０に記載の方法。
【請求項７６】
無線通信ネットワークのネットワーク設計および管理方法であって、
前記無線通信ネットワークが配置されているか、または、配置される予定の物理環境の表現を、該物理環境の前記表現内に分散した複数のコンポーネントのコンピュータ表現と共にディスプレイ上に提示するコンピュータ化された特定場所向けのモデルを、１つまたは２つ以上のコンピュータプラットフォーム上で設計または変更するステップであって、前記コンピュータ化された特定場所向けのモデルに表現された前記複数のコンポーネントの１つまたは２つ以上は、それらに関連付けられた性能データを有する、設計または変更するステップと、
複数の物理コンポーネントであって、当該複数の物理コンポーネントの少なくともいくつかが、前記コンピュータ化された特定場所向けのモデルに表現された前記複数のコンポーネントの少なくともいくつかと対応し、当該複数の物理コンポーネントの少なくとも１つが、無線通信用のインフラを提供するために使用される、複数の物理コンポーネントを、前記コンピュータ化された特定場所向けのモデルによって表現された前記物理環境内に分散させるステップと、
前記無線通信ネットワークの１人または２人以上のユーザにより経験された性能に関する少なくとも１つの無線通信性能データを、少なくとも１つの測定デバイスによって測定するステップと、
前記１つまたは２つ以上のコンピュータプラットフォームによって、
（Ｉ）前記測定デバイスによって測定された前記少なくとも１つの無線通信性能データが、前記無線通信ネットワークの１人または２人以上のユーザにとって満足できるものか否かの表示、または、
（ＩＩ）前記物理環境内に分散した前記複数の物理コンポーネントの１つまたは２つ以上のものの１つまたは２つ以上のパラメータを調整する制御信号もしくは命令、
の少なくとも一方を提供するステップと、
を含み、
前記１つまたは２つ以上のコンピュータプラットフォームの少なくとも１つは、前記複数の物理コンポーネントの少なくとも１つと通信する、
方法。
【請求項７７】
前記設計するステップは、前記設計または変更するステップの間に実行される、請求項７６に記載の方法。
【請求項７８】
前記変更するステップは、前記設計または変更するステップの間に実行される、請求項７６に記載の方法。
【請求項７９】
前記コンピュータ化された特定場所向けのモデルに基づいて、１つまたは２つ以上の無線通信性能データを、前記１つまたは２つ以上のコンピュータプラットフォームの少なくとも１つによって予測するステップをさらに含む、請求項７６に記載の方法。
【請求項８０】
前記予測するステップは、前記設計または変更するステップの間に実行される、請求項７６に記載の方法。
【請求項８１】
前記設計または変更するステップにおいて示された、前記無線通信システムの前記コンピュータ化された表現に表現される前記複数のコンポーネントの前記少なくともいくつかは、それらに関連付けられたコストデータ、インフラデータ、警報データ、保守データ、所有者データ、性能データ、設置データ、減価償却データ、および機器設定値の少なくとも１つを有する、請求項７６に記載の方法。
【請求項８２】
前記提供するステップにおいて調整される前記パラメータは、送信機の電力、送信周波数、受信周波数、信号強度、アンテナの方向、送信電力、データ転送速度、変調方法、帯域幅、干渉または雑音、信号対干渉比、データスループット、電力レベルまたは電力状態、サービス品質、データ待ち時間、およびトラフィックまたは容量利用状態からなる群から選択される、請求項７６に記載の方法。
【請求項８３】
前記１つまたは２つ以上のコンピュータプラットフォームは、前記提供するステップにおいて、（Ｉ）前記少なくとも１つの測定デバイスによって測定された前記少なくとも１つの無線通信性能データが、前記無線通信ネットワークのある特定のユーザにとって満足できるものか否かの表示、および、前記少なくとも１つの無線通信性能データの値の表示を提供する、請求項７６に記載の方法。
【請求項８４】
前記１つまたは２つ以上のコンピュータプラットフォームは、前記提供するステップにおいて、（Ｉ）前記少なくとも１つの測定デバイスによって測定された前記少なくとも１つの無線通信性能データが、前記無線通信ネットワークのユーザの一部またはすべてにとって満足できるものか否かの表示、および、前記少なくとも１つの無線通信性能データの値の表示を提供する、請求項７６に記載の方法。
【請求項８５】
前記無線通信ネットワークの前記１人または２人以上のユーザについて、前記性能データの満足できる性能レベルまたは満足できない性能レベルを選択するステップをさらに含む、請求項７６に記載の方法。
【請求項８６】
前記１つまたは２つ以上のコンピュータプラットフォームは、前記提供するステップにおいて、（ＩＩ）前記物理環境内に分散した前記複数の物理コンポーネントの１つまたは２つ以上のものの１つまたは２つ以上のパラメータを調整する制御信号または命令を提供する、請求項７６に記載の方法。
【請求項８７】
インフラ機器からなる少なくとも２つの異なる分散型ネットワークに関する情報の記憶、送信、または取り出しを行うステップであって、前記情報は、設置データ、性能データ、コストデータ、減価償却データ、所有者データ、警報データ、インフラ情報、および保守データからなる群から選択される、記憶、送信、または取り出しを行うステップと、
前記少なくとも２つの異なる分散型ネットワークからの選択された情報の選択的な取り出し、表示、集約、または分析を行うステップと、
を含み、
前記インフラ機器からなる分散型ネットワークのそれぞれは、特定場所向けのコンピュータデータベースモデルで表現され、該特定場所向けコンピュータデータベースモデルは、そこに記憶される前記インフラ機器の物理的な場所および相互接続のコンピュータ表現を有する、
無線ネットワーク資産管理方法。
【請求項８８】
前記性能データは、予測された性能データ、所望の性能データ、および測定された性能データのすくなくとも２つを含む、請求項８７に記載の無線ネットワーク資産管理方法。
【請求項８９】
前記予測された性能データ、前記所望の性能データ、および前記測定された性能データのすくなくとも２つを比較するステップをさらに含む、請求項８７に記載の無線ネットワーク資産管理方法。
【請求項９０】
前記少なくとも２つの異なる分散型ネットワークからの選択された情報の選択的な取り出し、表示、集約、または分析を行う前記ステップは、前記少なくとも２つの異なる分散型ネットワークの少なくとも第１のものおよび第２のものからの前記選択された情報を比較するステップを含む、請求項８７に記載の無線ネットワーク資産管理方法。
【請求項９１】
前記性能データは、周波数利用状態、容量利用状態、受信信号強度、信号対干渉比、信号対雑音比、ビット誤り率，負荷、容量、フレーム誤り率、１秒当たりのフレーム分解能、トラフィック、パケット誤り率、パケット待ち時間、パケットジッタ、干渉レベル、電力レベル、機能停止統計値、故障率、サービス品質、データスループット、温度、圧力、フローレート、環境の状態、電力の消費および変動、操業レベル、記憶サイクル、サイクル時間、警報閾値設定、警報メトリック、および警報レコードからなる群から選択された性能データを含む、請求項８７に記載の無線ネットワーク資産管理方法。
【請求項９２】
前記インフラ情報は、機器のブランド、機器のタイプ、機器の設定値、機器の構成、機器の向き、機器の仕様、機器のパラメータ、機器の製造者、機器の使用ログ、機器の契約情報、機器と通信する方法に関する情報、機器のユーザ、機器の所有者、機器の窓口案内、機器の貸出人、機器の借受人、予測された機器のコスト、実際の機器のコスト、予測された機器の故障率、実際の機器の故障率、予測された機器の保守または修理のコスト、実際の機器の保守または修理のコスト、および機器の識別子からなる群から選択された情報を含む、請求項８７に記載の無線ネットワーク資産管理方法。
【請求項９３】
前記２つの異なる分散型ネットワークの少なくとも一方の少なくとも１つのコンポーネントを、前記分散型ネットワークから遠隔の場所から制御するステップをさらに含む、請求項８７に記載の無線ネットワーク資産管理方法。
【請求項９４】
地形および少なくとも１つの建物の双方を含む環境のコンピュータ化モデルを生成する方法であり、前記地形は、前記少なくとも１つの建物を囲むとともに、複数の異なるオブジェクトおよび特徴をその中に含み、該複数の異なるオブジェクトおよび特徴のそれぞれは、分散型ネットワークの性能に影響を与える属性を有し、前記少なくとも１つの建物は、複数の異なるオブジェクトをその中に有し、該複数の異なるオブジェクトのそれぞれは、前記分散型ネットワークの性能に影響を与える属性を有する方法であって、
不定形三角網によって表現される、前記地形についての地形モデルを取得するステップと、
前記不定三角網と互換性を有するベクトルフォーマットによる、前記少なくとも１つの建物の建物モデルを取得するステップと、
前記地形モデルおよび前記建物モデルを結合して複合３次元地形−建物表現を形成するステップであって、前記建物の外縁が前記地形内に配置されるように、前記建物モデルを前記地形モデル内に配置する、結合するステップと、
を含む方法。
【請求項９５】
前記結合するステップは、前記建物モデルを前記地形モデルの一部に据える、請求項９４に記載の方法。
【請求項９６】
インフラコンポーネントからなる前記分散型ネットワークは、特定場所向けの形式による環境の前記コンピュータ化モデル内に、図的に、かつ、電子的に表現される、請求項９４に記載の方法。
【請求項９７】
建物の内部および外部の双方で動作する無線通信ネットワークについての無線性能の予測値または測定値の１つまたは複数、または、それらの比較結果を提供するステップをさらに含む、請求項９４に記載の方法。
【請求項９８】
前記分散型ネットワークの少なくとも一部に関するコストデータ、警報データ、インフラ情報、保守データ、減価償却データ、設置データ、性能データ、および所有者データの１つまたは複数を提供するステップをさらに含む、請求項９４に記載の方法。
【請求項９９】
地形および少なくとも１つの建物の双方を含む環境のコンピュータ化モデルを生成するシステムであり、前記地形は、前記少なくとも１つの建物を囲むとともに、複数の異なる地形の特徴をその中に含み、該複数の異なる地形の特徴のそれぞれは、分散型ネットワークの性能に影響を与える属性を有し、前記少なくとも１つの建物は、複数の異なるオブジェクトをその中に有し、該複数の異なるオブジェクトのそれぞれは、前記分散型ネットワークの性能に影響を与える属性を有するシステムであって、
不定形三角網によって表現される、前記地形についての地形モデルを取得する手段と、
前記不定三角網と互換性を有するベクトルフォーマットによる、前記少なくとも１つの建物の建物モデルを取得する手段と、
複合３次元地形−建物表現を形成するために、前記地形モデルおよび前記建物モデルを結合する手段とを有し、
前記建物モデルは、前記建物の外縁が前記地形内に配置されるように前記地形モデル内に配置される、結合する手段と、
を備えるシステム。
【請求項１００】
インフラコンポーネントからなる分散型ネットワークが、特定場所向けの形式で環境の前記コンピュータ化モデル内に、図的に、かつ、電子的に表現される、請求項９９に記載のシステム。
【請求項１０１】
前記地形モデルおよび前記建物モデルを結合する前記手段は、前記建物モデルを前記地形モデルの一部に据える、請求項９９に記載のシステム。
【請求項１０２】
建物の内部および外部の双方で動作する無線通信ネットワークについての無線性能の予測値または測定値の１つまたは複数、または、それらの比較結果を提供する手段をさらに備える、請求項９９に記載のシステム。
【請求項１０３】
前記分散型ネットワークの少なくとも一部に関するコストデータ、警報データ、減価償却データ、設置データ、インフラ情報、保守データ、性能データ、および所有者データの１つまたは複数を提供する手段をさらに備える、請求項９９に記載のシステム。
【請求項１０４】
インフラ機器からなる少なくとも２つの異なる分散型ネットワークに関する情報の記憶、送信、または取り出しを行う手段であって、前記情報は、設置データ、性能データ、インフラ情報、所有者データ、コストデータ、減価償却データ、警報データ、および保守データからなる群から選択される、記憶、送信、または取り出しを行う手段と、
前記少なくとも２つの異なる分散型ネットワークからの選択された情報の選択的な取り出し、表示、集約、または分析を行う手段と、
を含み、
前記インフラ機器からなる分散型ネットワークのそれぞれは、特定場所向けのコンピュータデータベースモデルで表現され、該特定場所向けコンピュータデータベースモデルは、そこに記憶される前記インフラ機器の物理的な場所および相互接続のコンピュータ表現を有する、
無線ネットワーク資産管理システム。
【請求項１０５】
前記性能データは、周波数利用状態、容量利用状態、受信信号強度、信号対干渉比、信号対雑音比、ビット誤り率，負荷、容量、フレーム誤り率、１秒当たりのフレーム分解能、トラフィック、パケット誤り率、パケット待ち時間、パケットジッタ、干渉レベル、電力レベル、機能停止統計値、故障率、サービス品質、データスループット、温度、圧力、フローレート、環境の状態、電力の消費および変動、操業レベル、記憶サイクル、サイクル時間、警報閾値設定、警報メトリック、および警報レコードからなる群から選択された性能データを含む、請求項１０４に記載の無線ネットワーク資産管理システム。
【請求項１０６】
前記性能データは、予測された性能データ、所望の性能データ、および測定された性能データの少なくとも２つを含む、請求項１０４に記載の無線ネットワーク資産管理システム。
【請求項１０７】
前記予測された性能データ、前記所望の性能データ、および前記測定された性能データの少なくとも２つを比較する手段をさらに含む、請求項１０６に記載の無線ネットワーク資産管理システム。
【請求項１０８】
前記少なくとも２つの異なる分散型ネットワークからの選択された情報の選択的な取り出し、表示、集約、または分析を行う前記手段は、前記少なくとも２つの異なる分散型ネットワークの少なくとも第１のものおよび第２のものからの前記選択された情報を比較する手段を含む、請求項１０４に記載の無線ネットワーク資産管理システム。
【請求項１０９】
前記インフラ情報は、機器のブランド、機器のタイプ、機器の設定値、機器の構成、機器の向き、機器の仕様、機器のパラメータ、機器の製造者、機器の使用ログ、機器の契約情報、機器と通信する方法に関する情報、機器のユーザ、機器の所有者、機器の窓口案内、機器の貸出人、機器の借受人、予測された機器のコスト、実際の機器のコスト、予測された機器の故障率、実際の機器の故障率、予測された機器の保守または修理のコスト、実際の機器の保守または修理のコスト、および機器の識別子からなる群から選択された情報を含む、請求項１０４に記載の無線ネットワーク資産管理システム。
【請求項１１０】
前記２つの異なる分散型ネットワークの少なくとも一方の少なくとも１つのコンポーネントを、前記分散型ネットワークから遠隔の場所から制御する手段をさらに含む、請求項１０４に記載の無線ネットワーク資産管理システム。
【請求項１１１】
インフラ機器からなる分散型ネットワークに関する予測された情報および測定された情報の１つ以上の記憶、送信、または取り出しを行うステップであって、前記情報の１つ以上は、コストデータ、警報データ、保守データ、設置データ、減価償却データ、正のデータ、及び所有者データからなる群から選択される、記憶、送信、または取り出しを行うステップと、
前記分散型ネットワークからの選択された情報の選択的な取り出し、表示、集約、または分析を行うステップと、
前記予測された情報と前記測定された情報とを比較するステップと、
を含み、
前記インフラ機器からなる分散型ネットワークは、特定場所向けのコンピュータデータベースモデルに表現され、該特定場所向けコンピュータデータベースモデルは、そこに記憶される前記インフラ機器の物理的な場所および相互接続のコンピュータ表現を有する、
無線ネットワーク資産管理方法。
【請求項１１２】
インフラ機器からなる分散型ネットワークに関する予測された情報および測定された情報の１つ以上の記憶、送信、または取り出しを行う手段であって、前記情報の１つ以上は、コストデータ、警報データ、保守データ、性能データ、及び所有者データからなる群から選択される、記憶、送信、または取り出しを行う手段と、
前記分散型ネットワークからの選択された情報の選択的な取り出し、表示、集約、または分析を行う手段と、
前記予測された情報と前記測定された情報とを比較する手段と、
を含み、
前記インフラ機器からなる分散型ネットワークは、特定場所向けのコンピュータデータベースモデルに表現され、該特定場所向けコンピュータデータベースモデルは、そこに記憶される前記インフラ機器の物理的な場所および相互接続のコンピュータ表現を有する、
無線ネットワーク資産管理システム。
【請求項１１３】
無線通信ネットワークのインフラ管理ツールであって、
１つまたは２つ以上の物理環境を表現する１つまたは２つ以上の特定場所向けのコンピュータ化モデルであって、前記物理環境内に分散した無線通信ネットワークの少なくとも一部である複数の分散したコンポーネントの表現を含み、かつ、コストデータ、警報データ、保守データ、性能データ、および所有者データからなる群から選択される予測された情報および測定された情報の１つまたは複数を含む、１つまたは２つ以上の特定場所向けのコンピュータ化モデルと、
前記１つまたは２つ以上の特定場所向けのコンピュータ化モデル内で探索される基準を特定する手段と、
前記特定する手段によって特定された特定基準を取り替えるために、取り替え基準を適用する手段と、
を備えるインフラ管理ツール。
【請求項１１４】
無線通信ネットワークのインフラ管理方法であって、
１つまたは２つ以上の物理環境を表現する１つまたは２つ以上の特定場所向けのコンピュータ化モデルへのアクセスを提供するステップであって、前記１つまたは２つ以上の特定場所向けのコンピュータ化モデルは、前記物理環境内に分散した無線通信ネットワークの少なくとも一部である複数の分散したコンポーネントの表現を含み、かつ、コストデータ、警報データ、保守データ、性能データ、および所有者データからなる群から選択される予測された情報および測定された情報の１つまたは複数を含む、ステップと、
前記１つまたは２つ以上の特定場所向けのコンピュータ化モデル内で探索される基準を特定するステップと、
前記特定するステップによって特定された特定基準を取り替えるために、取り替え基準を適用するステップと、
を備えるインフラ管理方法。